(57)【要約】【課題】道路掘削を行いながら、作業員が掘削穴の中で、埋設物かどうかの判別を容易、かつ確実にできる簡易な埋設物判別方法を提供する。【解決手段】道路掘削工事において、掘削穴の中に作業員２が入り、水と圧縮空気との混合物をノズル９で噴射し、当該混合物を土にまみれた埋設物に当てて、当該埋設物付近の土砂を飛ばすことにより、埋設物か否かを判別する。また、その際、掘削穴の土の状況により、前記混合物の水と圧縮空気の割合を調整して噴射する。【選択図】      図１
2014169902.tif 000002
【特許請求の範囲】
【請求項１】
道路掘削工事において、掘削穴の中に作業員が入り、水と圧縮空気との混合物をノズルで噴射し、当該混合物を土にまみれた埋設物に当てて、当該埋設物付近の土砂を飛ばすことにより、埋設物か否かを判別することを特徴とする、埋設物の判別方法。
【請求項２】
掘削穴の土の状況により、前記混合物の水と圧縮空気の割合を調整して噴射することを特徴とする、前記請求項１に記載の埋設物の判別方法。
【発明の詳細な説明】
【技術分野】
【０００１】
この発明は、道路の地下に水道管、ガス管、下水管、電話線管、電気線管等を埋設する、道路掘削工事における埋設物の判別方法に関するものである。
【背景技術】
【０００２】
従来、前記道路の地下に水道管、ガス管、下水管、電話線管、電気線管等を埋設する道路掘削工事は、比較的浅く掘るため、スコップを用いた作業員の人力とユンボ（登録商標）と呼ばれる掘削機械との併用で行われている場合が多い。
【０００３】
都市部の道路地下は、戦時中の空襲による瓦・煉瓦等のがれき及び道路の繰り返し掘削によるアスファルト片・砕石が多く含まれている。また、前記埋設管の一種である、家庭や工場等への前記供給管は、水道管、ガス管、電話線管では外径が約４０ｍｍ以下、下水管、電気線管では外径が１２０ｍｍ以下と細く、埋設深さは、地表面から１，０００ｍｍ以下と浅く埋設されている。
【０００４】
また、前記埋設管の多くは道路に並行して埋設され、また、埋設のための掘削も同様である。しかし、家庭や工場への供給管は前記埋設管から直角に布設されている。そのため、新たな埋設管などの布設には、供給管等の多くの埋設管を横断する必要があり、そのための掘削作業も多数の埋設管を横断して掘り返す必要がある。
【０００５】
そして多くの前記埋設管の掘削作業における掘削穴は、横幅が約１，０００ｍｍ以下であり、作業員１人が入れる状況である。そこで、作業員が、スコップで土を掘りつつ埋設物であるかどうか又は埋設物が何かを確認した後、前記掘削機械で掘り、埋設物であれば、作業員がスコップで、埋設物を傷つけないように注意しながら慎重に掘っていく。
【０００６】
一般的には、前記供給管やその他の埋設管等の埋設物及びガラなどは土まみれであり、作業員がスコップをあてて、埋設物かどうか確認する場合も直感的に直ちに判断することは難しい。作業現場では、埋設物とガラとの判別間違いにより、埋設管の損傷事故が多々発生している。
【０００７】
従って、作業員の前記判断力等の能力いかんで掘削作業の進捗状況が変わり、作業効率が極めて悪い。
【０００８】
そこで、特許文献１に示すように、地中に挿入される長尺の外管と、外管の内部に挿入される内管と、外管又は内管の一方に水を圧送するポンプと、外管又は内管の他方に空気を圧送するコンプレッサーと、外管の下端に設けられ、圧送された水と空気を混合してジェット水流を地中に噴射して掘削する噴射部とを備え、前記内管及び噴射部の中央部を外管から抜き出した後に、外管内にファイバースコープを挿入し、噴射部の下端から画像を撮影可能とした埋設物探査装置が開発された。
【先行技術文献】
【特許文献】
【０００９】
【特許文献１】特開２０１１−１７９８３３号公報
【発明の概要】
【発明が解決しようとする課題】
【００１０】
この埋設物探査装置は、噴射部からジェット水流を噴射し、噴射部近傍において土が除去され地中に穴が形成される。このため、ジェット水流によって形成された穴に徐々に埋設物探査装置を押し進めていくだけで、任意の深さまで挿入することができる。さらに、所定の深さまで外管を挿入した後、内管及び噴射部の中央部を抜きだした後に外管内にファイバースコープを挿入して、噴射部の下端から画像を撮影することができ、地中内部における当該埋設物探査装置下方の状況を把握することができ、埋設物の損傷を確実に防ぐことが出来る。
【００１１】
しかしながら、この特許文献１の埋設物探査装置は、地表から作業者が、当該埋設物探査装置を地中に挿入していき、その後、ファイバースコープを入れて、地中の状況を撮影して埋設物を確認するため、構成が複雑で、かつ、ファイバースコープでの撮影など、高価な装置となっている。
【００１２】
そこでこの発明はこれらの従来技術を改善すべく、道路掘削を行いながら、作業員が掘削穴の中で、埋設物かとうかの判別を容易、かつ確実にできる簡易な埋設物判別方法を提供することを目的とするものである。
【課題を解決するための手段】
【００１３】
請求項１の発明は、道路掘削工事において、掘削穴の中に作業員が入り、水と圧縮空気との混合物をノズルで噴射し、当該混合物を土にまみれた埋設物に当てて、当該埋設物付近の土砂を飛ばすことにより、埋設物か否かを判別する方法とした。
【００１４】
また、請求項２の発明は、請求項１の発明において、掘削穴の土の状況により、前記混合物の水と圧縮空気の割合を調整して噴射する、埋設物の判別方法とした。
【発明の効果】
【００１５】
請求項１及び２の発明によれば、作業員は、掘削穴内で、スコップにより掘り起こしている際、埋設物らしき物を発見した場合、水と圧縮空気の混合物を噴射させてこれを埋設物に当て、埋設物付近の土砂を跳ね上げ、これにより埋設物表面がすぐに現れ、容易にかつ確実に埋設物かガラかどうか判断できる。
【００１６】
しかも、この方法では、水と圧縮空気の混合物をノズルを用いて噴射させるため、作業が容易で、直ちに埋設物の表面が現れる。しかも、水だけの噴射と異なり、水量が少ないため、掘削穴内に水が溜まる恐れがない。また、圧縮空気だけの噴射と異なり、土片が多く飛び散ったり、ほこりが多く舞い上がることがない。
【００１７】
さらに、請求項２の発明によれば、作業員は掘削穴の土の硬さや乾燥度合を見て、ノズルから噴射される混合物の水と圧縮空気の割合や量を調整することができるため、無駄に水量や圧縮空気量を増やしたりせず、効率的に埋設物を判別できる。
【図面の簡単な説明】
【００１８】
【図１】この発明の実施の形態例１の埋設物の判別方法を示す斜視図である。
【図２】この発明の実施の形態例１の埋設物の判別方法を適用する工事の概略断面図である。
【図３】この発明の実施の形態例１の埋設物の判別方法に使用するノズルの概略側面図である。
【図４】この発明の実施の形態例の埋設物の判別方法を適用する道路の断面図である。
【図５】この発明の実施の形態例の埋設物の判別方法の実施状況の前段階を示す断面図である。
【図６】この発明の実施の形態例の埋設物の判別方法の実施状況を示す断面図である。
【発明を実施するための形態】
【００１９】
（実施の形態例１）
以下、この発明の実施の形態例１を図１〜図６に基づいて説明する。道路掘工事は図２に示すように、ユンボ（登録商標）と呼ばれる掘削機械１と作業員２のスコップ３とで、道路表面４を掘削する。作業員２はスコップ３で先堀りし、埋設物の探査を行い、埋設物がない場合に掘削機械で掘る。
【００２０】
また、当該道路地中には、ガラ・コンクリート片５が散在し、その中に、水道管６、ガス管７及び下水道管８等が埋設されている。
【００２１】
また、この発明の実施の形態例１に使用するノズル９を図３に示す。当該ノズル９は、ガンタイプのもので、内部に水流管１０を有し、当該水流管１０に送られてきた水が入り、当該水は先端部の複数穴から導出する。また、当該ノズル９の内壁と前記水流管１０との間に圧縮空気が入り、当該ノズル９の先端部で、前記水と圧縮空気とが混合され、ノズル９の先端口９ａから噴射する構成となっている。
【００２２】
また、このノズル９は、ハンドル１１を有し、作業者が当該ハンドル１１を手前に引くと、前記混合物が先端口から噴射する構成となっている。
【００２３】
前記水流管１０への水は、タンク１２の水がポンプ（図示省略）を介して、前記水流管１０へ供給される。その際、ノズル９の手前に水量調整弁１３を有している。また、前記圧縮空気は、コンプレッサー１４から導出され、ノズル９の手前にエアー量の調整弁１５が設けられている。
【００２４】
前記掘削機械１と作業員２のスコップ３を用いて、図５に示すように、掘削穴１６を掘っていく。そして、作業員２が地中に埋設物らしき物を発見すると、前記ノズル９を用いて水と圧縮空気の混合物を噴射させて、図６に示すように、土中に当てる。
【００２５】
これにより、土砂は水を含んで柔らかくなり、圧縮空気の勢いで、飛ばされ、埋設物が露わになる。そして、作業員２は当該埋設物が、ガラ・コンクリート片５か水道管６、ガス管７、下水道管８等の埋設物かどうかを判別する。
【００２６】
前記判断により埋設物である場合は、当該埋設物を避けて掘削し、また、埋設物ではなく、ガラ・コンクリート片５である場合は、前記掘削機械１を用いるなどして掘削穴１６を形成し、電線管等を当該掘削穴１６に埋設する。
【００２７】
なお、上記実施の形態例１では、ノズル９を使用したが、この発明で使用するノズルは、上記のノズル９に限定されるものではない。
【符号の説明】
【００２８】
１      掘削機械                    ２      作業員  
３      スコップ                    ４      道路表面
５      ガラ・コンクリート片        ６      水道管
７      ガス管                      ８      下水管
９      ノズル                      １０    水流管
１１    ハンドル                    １２    タンク
１３    水量調整弁                  １４    コンプレッサー
１５    エアー量調整弁              １６    掘削穴
【図１】
2014169902.tif 000003
【図２】
2014169902.tif 000004
【図３】
2014169902.tif 000005
【図４】
2014169902.tif 000006
【図５】
2014169902.tif 000007
【図６】
2014169902.tif 000008